(57)【要約】      （修正有）【課題】主な課題は、岩盤浴施設及び施設内の各種細菌、ウィルス、カビ等の発生を防止し、顧客への空気感染及び接触感染等を予防すること。またマイナスイオン発生装置により健康増進と共に癒し効果を高め、岩盤浴施設を構成する岩盤体の分解、リニューアル、洗浄等の作業効率の高い岩盤体の提供する。【解決手段】岩盤浴装置Ｂの前後左右から水平に照射するか又は上方から照射可能に配備された紫外線照射装置１５と、施設室内の空気汚染を防止するための空気汚染防止装置１５０と、岩盤浴装置Ｂ及び紫外線照射位置に利用者の有無を検知する検知手段２３と、マイナスイオン発生装置１６とを配備している。【選択図】図２
0003132089.tif 000002
【実用新案登録請求の範囲】
【請求項１】
岩盤体をベッド型又は床面型に使用してなる岩盤浴装置を、複数配設した岩盤浴施設において、
人体横臥面を形成する岩盤体の全表面又は当該岩盤体の近傍周辺に付着した各種細菌やカビ類を滅菌するために、前記岩盤浴施設の前後左右から水平に照射するか又は上方から照射可能に配備された紫外線照射装置と、
前記岩盤浴施設を並設した室内の空気汚染を防止するための空気汚染防止装置と、
前記岩盤浴装置及び紫外線照射位置に利用者の有無を検知する検知手段と、
マイナスイオン発生装置と、
を配備していることを特徴とする、岩盤浴施設。
【請求項２】
前記紫外線照射装置は、低圧水銀ランプ及び紫外線ビーム管よりなり、該低圧水銀ランプは、少なくとも２００〜２９０ｎｍの短波長紫外線を照射する低圧水銀ランプであることを特徴とする、請求項１記載の岩盤浴施設。
【請求項３】
前記低圧水銀ランプにおける紫外線ビーム管の照射口形状は、格子状筒体であることを特徴とする、請求項１〜請求項２の何れかに記載の岩盤浴施設。
【請求項４】
前記空気汚染防止装置は、光触媒片、紫外線ランプ及びシロッコファンよりなり、前記岩盤浴施設の頭部載置板の下部に配設されていることを特徴とする、請求項１〜請求項３の何れかに記載の岩盤浴施設。
【請求項５】
前記検知手段が、赤外線センサー、超音波センサー、光センサー又はフットスイッチであり、かつ紫外線照射装置に電気的に連動していることを特徴とする、請求項１〜請求項４の何れかに記載の岩盤浴施設。
【請求項６】
前記マイナスイオン発生装置は、少なくとも１００万〜２００万ｉｏｎｓ／cm3のマイナスイオンを連続的又は所定時間毎断続的に発生することを特徴とする、請求項１〜請求項５の何れかに記載の岩盤浴施設。
【請求項７】
前記マイナスイオン発生装置は、頭部載置板の前方底部に装着されたことを特徴とする、請求項１〜請求項６の何れかに記載の岩盤浴施設。
【請求項８】
前記岩盤体の素材が、遠赤外線、微量放射線、マイナスイオンを発生する天然鉱石類、堆積土、宝石類又はガラス類であることを特徴とする、請求項１〜請求項７の何れかに記載の岩盤体。
【請求項９】
前記天然鉱石類が、神天石、天降石、天照石、天寿石、天鉱石、北投石、ラドン鉱石、黒鉛珪石、電気石、石英岩、麦飯石、石英片岩、方解石、長石、木魚石、角閃石、貴陽石、ゼオライト、花崗斑岩、石墨千枚岩であり、前記堆積土が珪藻土で、前記宝石類が水晶、瑪瑙、金又は銀であることを特徴とする、請求項１〜請求項８の何れかに記載の岩盤体。
【請求項１０】
前記岩盤体は、請求項８記載の天然鉱石類、珪藻土及び宝石類又はガラス類を、平板状に切り出すか又は、焼成窯又は電気窯で焼成した後、タテ及びヨコ寸法を、約４０ｃｍ〜８０ｃｍ、厚さ約１５ｍｍ〜２０ｍｍの正方形又は長方形に成形し、単体重量を約１０ｋｇ以下にしたものであることを特徴とする、請求項１〜請求項９の何れかに記載の岩盤体。
【考案の詳細な説明】
【技術分野】
【０００１】
本考案は、岩盤浴施設及び岩盤体に関し、より詳しくは、岩盤浴施設及び室内の各種細菌、ウィルス又はカビ等の発生を防止すると共に、汗や垢等の酸化による悪臭等の発生を防止し、衛生的かつ快適な岩盤浴が楽しめる岩盤浴施設とこの岩盤浴施設で使用される岩盤体に関する。
【背景技術】
【０００２】
近年、天然の鉱石や堆積土を原料とした板状体に熱を加え、当該板状体上に横臥することで生体に温熱効果を期待する湯水を使用しない温浴法、いわゆる岩盤浴が急速に普及している。岩盤浴は、体温よりやや高温（約４０°〜５０°）に設定された天然鉱石ないし岩盤等に着衣の状態で横臥すれば、遠赤外線やマイナスイオンの作用により、短時間で大量の発汗と共に、体の芯が温められ、新陳代謝の促進、ダイエット効果、冷え性の改善、免疫力向上、排毒素効果、血液循環の改善、美肌効果、肩こりの改善、老化防止、便秘の緩和、ストレス解消・軽減等の健康効果及び癒やし効果が期待される。
岩盤浴の元祖は、秋田県田沢湖町の玉川温泉とされ、温泉地内で地熱のある北投石から放射される微量のラジウム線とマイナスイオンで人体の鎮痛効果や新陳代謝の促進があるとして多数の利用者がいる。一方マスメディア等を介して喧伝される岩盤浴による各種の効能に着目した、専業の岩盤浴施設の他、健康ランド、ホテル、旅館、温泉施設、カラオケセンター、アスレチックセンター、ゴルフ場等が集客率の向上等を目的として、その付帯設備として岩盤浴施設が多数建設されている。
岩盤浴施設における岩盤浴の態様は、ベッド型又は床面型とに大別できる。ベッド型の岩盤浴施設としては、特開２００６−２３０８１４（特許文献１）、特開２００６−１８７４４３（特許文献２）及び特開２００５−２４５６３１（特許文献３）等が開示され、床面型の岩盤浴施設としては、特開２００５−７３８００（特許文献４）、特開２００６−２３０４２７（特許文献５）及び特開２００５−８７６５１（特許文献６）等が開示されている。
岩盤浴の長所は、
（１）既存浴場と違って、大量の湯水を使用しない。
（２）温泉入浴と同様の癒し効果と大量の発汗がある。
（３）水圧がかからないので、高血圧症、心臓病等の患者でも岩盤浴ができる。
（４）施設の施工が簡単で、早期かつ小予算で建設できる。
（５）新規事業として、又は既存施設との組み合わせが容易である。
（６）清掃、運営費等のランニングコストが少額である等が挙げられる。
上記、岩盤浴の長所が喧伝されたことにより多くの岩盤浴施設が建設され、また今後も増加する傾向にあるが、最近（２００６年９月）になり、岩盤浴施設における大きな欠点が、著名週刊誌Ｐによって露呈された。その見出しは、「岩盤浴は、細菌・カビがウヨウヨだ！−抜き打ち検査で発覚」というショッキングなものであり、その要旨は、「ある岩盤浴施設を、某検査機関が抜き打ちで測定したところ、一般家庭のフローリングにおける数値の１５０倍〜２５０倍の真菌や一般細菌が検出された」というものである。
本考案者の調査によれば、岩盤浴施設は、本来、発汗作用による体内の毒素排泄、ストレス解消等を主な目的として創案された健康設備であるにも関わらず、有効な衛生対策はとられていない現状にある。従来の岩盤浴施設内は、高温、多湿かつほぼ密室状態で換気が不十分であるから、室内環境汚染が著しく、細菌、ウィルス又はカビ等によるアレルギー、インフルエンザ等の空気感染も少なくない。また岩盤浴で使用される素材の殆どが、凹凸のある天然の岩片をモルタルで貼り合わせたもの、砂利玉又は溶岩石等のような多孔質素材であるために吸水性が高く、当該多孔質の微細孔に浸入した垢、ふけ等を除去するのは極めて困難でほぼ不可能ともいえる。この不具合を解消するための一般的な予防対策として、発汗、垢、ふけ等の老廃物が岩盤に付着しないように、施設利用者は岩盤上に浴衣、タオル等を敷き、殺菌手段として岩盤の温度を約５０°Ｃ前後に上げているが、その科学的根拠はない。また殺菌剤を使用している施設もあるが、施設利用者が退室するたびに、薬剤での岩盤等を払拭する殺菌作業は困難かつ煩瑣であり、また薬剤は、岩盤の熱によって蒸発し、密閉された室内に薬臭と薬剤成分が充満し、施設利用者に不快感を与えているのが実情である。さらに、従来の岩盤体は、埋込み固定型が殆どで、移動、改築等は不可能であり、かつ排水溝がなければ洗浄できないという問題点を有する。
【０００３】
【特許文献１】特開２００６−２３０８１４号公報
【特許文献２】特開２００６−１８７４４３号公報
【特許文献３】特開２００５−２４５６３１号公報
【特許文献４】特開２００５−７３８００号公報
【特許文献５】特開２００６−２３０４２７号公報
【特許文献６】特開２００５−８７６５１号公報
【考案の開示】
【考案が解決しようとする課題】
【０００４】
岩盤浴に関する我国における特許文献は、上記の文献を含み約５０件（２００６．９月現在）が開示されているが、それらの文献中、衛生対策に関して提示されているのは、上記の特許文献４のみである。特許文献４は、維持管理が容易でそれに要する時間とコストとを抑えて衛生的に保つことができる岩盤浴構造を提供することを課題とし、その解決手段として、基礎床は、排水口を有し、上面が排水口に向かって下がるように傾斜し、支持材は基礎床の上に設けられ、敷板は、厚さ方向に貫通した複数の通気孔を有し、支持材により基礎床の上方で支持されている。温風ボイラーは、基礎床と敷板との間に送風可能で、温水ボイラーは、温水を循環可能で、温水管は、敷板の上に設けられ、温水ボイラーに温水を循環させるよう接続されている。砂利層は、敷板の上に温水管を埋める厚さで設けられている。壁は、少なくとも一部が岩盤石からなり、基礎床に対して上方に伸びている構成としている。
特許文献４において、利用者は、温められた砂利の上にござなどを敷き、浴衣などを着衣してその上に横たわり温まることができる。使用につれて人体から発生する汗や汚れ、雑菌などが砂利に付着する。砂利に付着した汚れは、ホースで砂利に水をかけ、ブラシで砂利を擦って洗い落とす。洗い流した水は、砂利の隙間から敷板の通気孔を通って、基礎床の上面に流れ落ちる。流れ落ちた水は、基礎床の上面の傾斜に沿って排水口に向かって流れ、排水口から排水される。
特許文献４は、砂利に付着した汗や汚れ、雑菌などを洗浄水により、除去するとしているが、その洗浄作業は、利用者がいない時又は休業時等においてしかできないという不具合があり、ござ等は素材的に流水での処理等は困難であり、またホースによる放水では砂利に付着した雑菌やカビ等は容易に殺菌できず、また熱水を使用して雑菌やカビ等の発生を抑えたとしても、ふけ、垢又はその他の有機物は完全に洗浄、除去することは不可能に近いという欠点がある。
【０００５】
本考案が解決しようとする第１の課題は、岩盤浴施設及び施設内（室内）における、各種細菌、ウィルス、カビ等の発生を防止すると共に、顧客への空気感染及び接触感染等を予防することであり、課題の２は、マイナスイオン発生装置により健康増進と共に癒し効果を高め、衛生的かつ快適な岩盤浴が楽しめる岩盤浴施設の提供で、課題の３は、岩盤浴施設を構成する岩盤体群を分解、移動し、用途に適応する岩盤体を容易に組み付け可能とし、また岩盤浴施設内に排水溝等を設置することなく、定期的に岩盤体を水洗又は薬品洗浄、どぶ漬け洗浄等を可能にすることにある。
本考案者は、上記従来技術が有する各種の問題点に鑑み、特に岩盤浴施設においては、その温度・湿度環境が各種細菌、ウィルス、カビ類の繁殖環境に好適であり、かつ不特定多数の利用者が狭い室内空間を利用する健康設備であるにもかかわらず、その衛生管理対策としては、岩盤の温度を約５０°Ｃ前後に上げているから施設内の衛生状態は良好であるとしている業界常識を打破すべく、鋭意検討を重ねたところ、３種類ある紫外線波長のうち、各種細菌、ウィルス、カビ等に対し、特に短波長紫外線（２００〜２９０ｎｍ）の照射及び光触媒による殺菌が極めて有効であることを知見して本考案を完成したものである。
【０００６】
課題を解決するための手段は、本願、実用新案登録請求の範囲の各請求項に記載の発明であり、その具体的な解決手段は、以下の通りである。
【課題を解決するための手段】
【０００７】
課題を解決するための第１の考案は、請求項１に記載の考案であり、岩盤体をベッド型又は床面型に使用してなる岩盤浴装置を、複数配設した岩盤浴施設において、人体横臥面を形成する岩盤体の全表面又は当該岩盤体の近傍周辺に付着した各種細菌やカビ類を滅菌するために、前記岩盤浴施設の前後左右から水平に照射するか又は上方から照射可能に配備された紫外線照射装置と、前記岩盤浴施設を並設した室内の空気汚染を防止するための空気汚染防止装置と、前記岩盤浴装置及び紫外線照射位置に利用者の有無を検知する検知手段と、マイナスイオン発生装置とを配備していることを特徴としている。
【０００８】
課題を解決するための第２の考案は、請求項２に記載の考案であり、前記紫外線照射装置は、低圧水銀ランプ及び紫外線ビーム管よりなり、該低圧水銀ランプは、少なくとも２００〜２９０ｎｍの短波長紫外線を照射する低圧水銀ランプであることを特徴としている。
【０００９】
課題を解決するための第３の考案は、請求項３に記載の考案であり、前記低圧水銀ランプにおける紫外線ビーム管の照射口形状は、格子状筒体であることを特徴としている。
【００１０】
課題を解決するための第４の考案は、請求項４に記載の考案であり、前記空気汚染防止装置は、光触媒片、紫外線ランプ及びシロッコファンよりなり、前記岩盤浴施設の頭部載置板の下部に配設されていることを特徴としている。
【００１１】
課題を解決するための第５の考案は、請求項５に記載の考案であり、前記検知手段が、赤外線センサー、超音波センサー、光センサー又はフットスイッチであり、かつ紫外線照射装置に電気的に連動していることを特徴としている。
課題を解決するための第６の考案は、請求項６に記載の考案であり、前記マイナスイオン発生装置は、少なくとも１００万〜２００万ｉｏｎｓ／cm3のマイナスイオンを連続的又は所定時間毎断続的に発生することを特徴としている。
課題を解決するための第７の考案は、請求項７に記載の考案であり、前記マイナスイオ
ン発生装置は、頭部載置板の前方底部に装着されたことを特徴としている。
課題を解決するための第８の考案は、請求項８に記載の考案であり、前記岩盤体の素材
が、遠赤外線、微量放射線、マイナスイオンを発生する天然鉱石類、堆積土、宝石類又はガラス類であることを特徴としている。
課題を解決するための第９の考案は、請求項求項９に記載の考案であり、前記天然鉱石類が、神天石、天降石、天照石、天寿石、天鉱石、北投石、ラドン鉱石、黒鉛珪石、電気石、石英岩、麦飯石、石英片岩、方解石、長石、木魚石、角閃石、貴陽石、ゼオライト、花崗斑岩、石墨千枚岩であり、前記堆積土が珪藻土で、前記宝石類が水晶、瑪瑙、金又は銀であることを特徴としている。
課題を解決するための第１０の考案は、請求項１０に記載の考案であり、前記岩盤体は、請求項８記載の天然鉱石類、珪藻土及び宝石類又はガラス類を、平板状に切り出すか又は、焼成窯又は電気窯で焼成した後、タテ及びヨコ寸法を、約４０ｃｍ〜８０ｃｍ、厚さ約１５ｍｍ〜２０ｍｍの正方形又は長方形に成形し、単体重量を約１０ｋｇ以下にしたものであることを特徴としている。
【考案の効果】
【００１２】
本考案に係る、岩盤浴施設及び岩盤体は、上記の構成になるから以下の効果を奏する。
第１の考案によれば、人体横臥面を形成する岩盤体の全表面又は当該岩盤体の近傍周辺に付着した各種細菌やカビ類を滅菌するために、前記岩盤浴施設の前後左右から水平に照射するか又は上方から照射可能に配備された紫外線照射装置と、前記岩盤浴施設を並設した室内の空気汚染を防止するための空気汚染防止装置と、前記岩盤浴装置及び紫外線照射位置に利用者の有無を検知する検知手段と、マイナスイオン発生装置とを配備してなるから、岩盤浴施設の人体横臥面の全表面はもちろん岩盤体の近傍周辺に付着した各種細菌やカビ類を滅菌し、また空気汚染防止装置により顧客が無意識で持ち込んだインフルエンザや各種ウィルス等も死滅させることができるので、他の顧客に空気感染及び接触感染等を予防することができ、これにより第１の課題を解決することができた。
【００１３】
第２の考案によれば、紫外線照射装置は、低圧水銀ランプ及び紫外線ビーム管よりなり、該低圧水銀ランプは、少なくとも２００〜２９０ｎｍの短波長紫外線を照射する低圧水銀ランプであるから、低圧水銀ランプから照射される２００〜２９０ｎｍの短波長紫外線は、細菌細胞中のＤＮＡ（デオキシリボ核酸）の光吸収スペクトルである２６０ｎｍ波長近傍の吸収帯に近似するので、細菌細胞中のＤＮＡに作用し、水和現象、ダイマー形成、分解等の光化学反応により、芽胞を含む細菌、カビ類を死滅させる。
【００１４】
第３の考案によれば、低圧水銀ランプにおける紫外線ビーム管の照射口形状は、格子状筒体であるから、紫外線光線が扇状に飛散することを防止し、一定方向に直線的に照射し、岩盤体上又は近傍周辺の芽胞を含む細菌、カビ類を的確にヒットして殺菌することができ、かつ安全管理上、好適である。
第４の考案によれば、空気汚染防止装置は、光触媒片、紫外線ランプ及びシロッコファンよりなり、前記岩盤浴施設の頭部載置板の下部に配設されているので、岩盤浴施設が配設された室内に例えば各種ウィルス等が持ち込まれても、光触媒片と紫外線ランプにより該ウィルス等は殺菌され、清浄な空気となってシロッコファンで室内に送風されるので、施設内での空気感染が防止できる。
第５の考案によれば、検知手段が、赤外線センサー、超音波センサー、光センサー又はフットスイッチであり、かつ紫外線照射装置に電気的に連動しているので、紫外線照射装置の低圧水銀ランプのビーム管は、ベッド又は床面上が無人状態においてのみ作動するので、利用者は安心して岩盤浴を楽しむことができる。
第６の考案〜第７の考案によれば、マイナスイオン発生装置は、少なくとも１００万〜
２００万ｉｏｎｓ／cm3のマイナスイオンを連続的又は所定時間毎断続的に発生し、また
マイナスイオン発生装置は、頭部載置板の前方底部に装着されているから、利用者は、岩盤体自体から発生するマイナスイオンに倍加したマイナスイオンを吸収するので、健康増進と共に癒やし効果が相乗され、第２の課題を解決することができた。
第８の考案〜第９の考案によれば、岩盤体の素材が、遠赤外線、微量放射線、マイナ
スイオンを発生する天然鉱石類、堆積土、宝石類又はガラス類で、天然鉱石類が、神天石、天降石、天照石、天寿石、天鉱石、北投石、ラドン鉱石、黒鉛珪石、電気石、石英岩、麦飯石、石英片岩、方解石、長石、木魚石、角閃石、貴陽石、ゼオライト、花崗斑岩、石墨千枚岩であり、前記堆積土が珪藻土で、前記宝石類が水晶、瑪瑙、金又は銀であるから、施設提供者は、経済性、意匠性又は利用者の嗜好性等を勘案して幅広く岩盤体の素材を選択し、利用者の興趣に適合するデザイン又はレイアウト等が容易となる。
第１０の考案によれば、岩盤体は、請求項８記載の天然鉱石類、珪藻土及び宝石類又はガラス類を、平板状に切り出すか又は、焼成窯又は電気窯で焼成した後、タテ及びヨコ寸法を、約４０ｃｍ〜８０ｃｍ、厚さ約１５ｍｍ〜２０ｍｍの正方形又は長方形に成形し、単体重量を約１０ｋｇ以下にしたものであるから、岩盤体の移動・取替作業等は一人の作業員が吸着盤等を介して簡便に行うことができるので、第３の課題を解決すると共に、ランニングコストを低くすることができた。
【００１５】
本願実用新案登録請求の範囲、明細書に記載している用語の解釈上の疑義を解消すべく、用語の定義、用語の説明を以下のように行う。
＊＊＊＊＊＊＊＊＊＊＊＊＊＊＊＊＊＊＊＊＊＊＊＊＊＊＊＊＊＊＊＊＊＊＊＊＊＊＊＊
（用語の説明）
○光触媒とは−光を吸収することにより、触媒として作用する物質をいう。光触媒機能を有する金属として酸化チタン（ＴｉＯ２）、酸化亜鉛（ＺｎＯ２）等の各種金属酸化物があるが、現今において、実用化しているのは酸化チタン（ＴｉＯ２）のみである。光触媒の機能は、酸素や水から活性物質を生成させ、有機物（印刷インキを含む）、臭気物質、細菌、ウィルス等を分解し、無害化する。またその特徴は、半永久的に機能することである。
○前後とは−ベッド又は床面上の枕配設位置を前、足部を後という。
○左右とは−ベッド又は床面上の側面部をいう。
○水和現象とは−紫外線により細菌細胞が分解又は中和することをいう。
○ダイマー形成とは−紫外線の照射により、ＤＮＡの分子の複製機構が停止することをいう。
○芽胞とは−細菌類の卵をいう。
＊＊＊＊＊＊＊＊＊＊＊＊＊＊＊＊＊＊＊＊＊＊＊＊＊＊＊＊＊＊＊＊＊＊＊＊＊＊＊＊
【考案を実施するための最良の形態】
【００１６】
以下、本考案に係る、岩盤浴施設及び岩盤体に関する最良の実施形態について、図面を参照しながら説明する。図１は、ベッド型の岩盤浴装置の斜視図、図２は、図１におけるＡ−Ａ線断面図、図３は、ベッド型の岩盤浴装置の平面図、図４は、紫外線照射装置を岩盤浴装置の側部に配設した状態の平面図、図５は、紫外線照射装置と空気汚染防止装置の拡大断面図、図６は紫外線ビーム管を天井面に装着した状態の側断面図、図７（ａ）は、紫外線ビーム管の一部拡大斜視図、図７（ｂ）は、紫外線ビーム管の他の例を示す一部拡大斜視図、図８（ａ）は、岩盤体の平面図、図８（ｂ）は、同正面図、図９は、岩盤体の他の実施例を示す平面図、図１０は、床面型の岩盤浴装置の斜視図、図１１は、図１０におけるＣ−Ｃ線断面図である。
【００１７】
図１及び図２において、Ｂはベッド型の岩盤浴装置で、室内に複数配設され、側面枠１、２及び後方枠３内に、複数の岩盤体４〜１１は、互いに隣接する当接面ａ〜Ｊが密着するように設置されて人体横臥面１２を形成している。岩盤体４及び５の上部には頭部載置板１３が着脱自在に設置され、当該頭部載置板１３の下部には、滅菌手段である紫外線照射装置１５及び空気汚染防止装置１５０が配設されている。紫外線照射装置１５は、低圧水銀ランプ１５ａと紫外線ビーム管１５ｂよりなり、コード１５ｃを介して電源につながっている。空気汚染防止装置１５０は、二酸化チタンを主成分とする複数の光触媒片１５０ａ、紫外線ランプ１５０ｂ及びシロッコファン１５０ｃからなっている。１６は、頭部載置板１３の前方底部に装着されたマイナスイオン発生装置で、厚さ約３ｍｍ〜５ｍｍの略名刺大の大きさで、内蔵された放電電極により１００万〜２００万ｉｏｎｓ／cm3以上のマイナスイオンを連続的又は所定時間毎断続的に発生させるように設定されている。１７は、面状ヒータで、上部金属板１８と下部金属板１９にサンドイッチ状に挟着、固定されている。２０は、断熱材からなる床材で、２１は、各岩盤浴装置Ｂを仕切るためのパーティションで、２２は支柱である。２３は、赤外線センサーで、通路２４を利用者が通過することを検知し、紫外線照射装置１５の低圧水銀ランプ１５ａに連動し、紫外線ビーム管１５ｂのＯＮ・ＯＦＦが作動する。また赤外線センサー２３に代えて超音波センサー、光センサー又はフットスイッチとすることも可能で、その設置場所は、図示するような通路２４に限定されない。例えば岩盤浴施設Ｂの室内出入口、天井面又は壁面等から適宜選択され、またその設置数も限定されない。
【００１８】
紫外線照射装置１５の低圧水銀ランプ１５ａにおける紫外線ビーム管１５ｂは、図２に示すように約１５ｃｍ〜２５ｃｍの水平直線状で複数の筒体からなっている。これはビームが扇状に拡散することを阻止するためであり、その照射口形状１５ｄは、図７（ａ）及び図７（ｂ）に示すように、正面視格子状をなしており、これによりビーム１５ｅは頭部から足下に向けて直線的に照射されるようになっている（図２及び図３参照）。なお照射口形状１５ｄは、図７（ａ）及び図７（ｂ）に例示するものに限定されないのはもちろんである。また図示しないが、紫外線照射装置１５を足下に設置し、ビーム１５ｅを足下から頭部に向けて直線的に照射することも可能である。
岩盤体４〜１１の素材は、遠赤外線やマイナスイオンを発生する例えば、神天石、天降石、天照石、天寿石、黒鉛珪石、電気石、石英岩、麦飯石、石英片岩、方解石、長石、木魚石、角閃石、貴陽石、ゼオライト、花崗斑岩、石墨千枚岩等であり、微量放射線とマイナスイオンを発生する天鉱石、北投石、ラドン鉱石等の天然鉱石であり、また堆積土である珪藻土及び宝石類の水晶、瑪瑙、金又は銀の中から選択される。選択された天然鉱石によっては、平板状に切り出されてタイル状に加工され、あるいは平板状に切り出すのに適さない鉱石類や珪藻土、宝石類等はパウダー状にし、水、ガラス、希土類等を混入して型枠に入れて成型した後、焼成窯、電気窯等で約１２時間〜２４時間、温度が約１３００°〜１５００°好ましくは、約１４００°の熱で液状になるまで焼成し、常温に冷却後、タテ及びヨコ寸法が、約４０ｃｍ〜８０ｃｍ、厚さ約１５ｍｍ〜２０ｍｍの平板又はタイル状の正方形又は長方形状で、かつ単体重量が約１０ｋｇ以下に成型、加工し、素材によってはその表面を鏡面加工して岩盤体は製作される。図８（ａ）、（ｂ）に示す岩盤体４〜１１は、タテ寸法Ｌ１が６０ｃｍ、ヨコ寸法Ｗ１を４０ｃｍ、厚さＨを２０ｍｍとしている。図９は、タテ寸法Ｌ２が４０ｃｍ、ヨコ寸法Ｗ１を４０ｃｍとした正方形状の岩盤体４〜１１を例示している。
図１に示す赤外線センサー２３の検知走査線２３ａが室内に利用者が不在を検知している間、電源がＯＮされて低圧水銀ランプ１５ａが作動し、紫外線ビーム管１５ｂの照射口１５ｄから、図２及び図３中の一点鎖線で示す矢印のようにビーム１５ｅが頭部載置板１３の下部から紫外線遮蔽板を兼ねた後方枠３に向けて照射され、人体横臥面１２上の芽胞を含む細菌及びカビを滅菌することができる。赤外線センサー２３の検知走査線２３ａが、利用者の通過を検知すれば、直ちに低圧水銀ランプ１５ａはＯＦＦとなり、紫外線ビーム管１５ｂからのビーム１５ｅの照射は停止される。
図４は、低圧水銀ランプ１５ａを、岩盤浴施設Ｂの側面枠１及び２に設置した状態を例示し、ビーム１５ｅは、図示するように岩盤体４〜１１の人体横臥面１２上を左右交互に照射されるように設定されている。
図５は、紫外線照射装置１５と空気汚染防止装置１５０を一体的に配設した態様を例示している。空気汚染防止装置１５０の紫外線ランプ１５０ｂが点灯され、シロッコファン１５０ｃが運転されると吸気口１５０ｄから岩盤浴装置Ｂが配列された室内の空気が吸入され、該空気は吸気口１５０ｄの直下に配設された二酸化チタンを主成分とする複数の光触媒片１５０ａにより清浄化される。例えば利用者により室内にインフルエンザ等のウィルスが持ち込まれたとしても、光触媒片１５０ａにより殺菌され、清浄な空気がシロッコファン１５０ｃによって、紫外線ビーム管１５ｂ内を通り人体横臥面１２と室内に送風され、室内は常時、清浄な空気が循環するようになっている。
図６は、低圧水銀ランプ１５ａを、岩盤浴装置Ｂの直上天井面に設置した状態を例示し、ビーム１５ｅは、岩盤体４〜１１の人体横臥面１２及び各岩盤体４〜１１が隣接する当接面ａ〜Ｊに向けて上方から垂直に照射され、岩盤体４〜１１上の人体横臥面１２、当接面ａ〜Ｊはもちろん、側面枠１及び２との当接面１ａ、２ａ近傍の芽胞を含む細菌、カビ類を完全に処理することができる（図３、参照）。また、図３の側面枠１及び２への設置型と組み合わせ、図５に示す天井型との組み合わせも可能で、単独設置より複数設置の方がより効果的に滅菌できる。
マイナスイオン発生装置１６は、図１〜図６に示すように、頭部載置板１３の中心から左右約１５ｃｍの前方底部の左右２ヶ所に装着され、放電電極により１００万〜２００万ｉｏｎｓ／cm3以上のマイナスイオンを連続的又は所定時間毎、例えば約３０分〜１時間断続的に発生させるように設定され、岩盤体自身から放出するマイナスイオンに倍加される。これにより岩盤浴装置Ｂの利用者は、マイナスイオン効果と称される、血液の浄化作用・細胞の賦活作用・抵抗力の増加・自立神経の調整作用・安眠作用・精神安定作用等の健康増進、癒やし効果等を享受することができる。
岩盤浴施設の管理者又は経営者は、集客率の向上、売上げ増、経営安定又は施設の全面的な洗浄やリニューアル等を目的として、所定期間毎に岩盤体４〜１１等の一部又は全体を取り替える必要がある。その際、岩盤体４〜１１等は、側面枠１、２及び後方枠３内に設置されており、またその形状や重量も長大でなく、かつ重量も約１０ｋｇ以下としているので、一人の作業員が、吸着盤等を介して簡便に取り替え、配設作業等を効率よく行うことができる。
図１０〜図１１は、床面型の岩盤浴装置Ｆを示し、室内に複数配設され、岩盤体３４〜４１は、互いに隣接する当接面３４ａ〜３５Ｊが密着するように敷設されて人体横臥面４２を形成している。岩盤体３４及び３５の上部には頭部載置板４３が設置され、該頭部載置板４３の下部には、図１１に示すように、滅菌手段である紫外線照射装置４５と空気汚染防止装置４５０が配設されている。紫外線照射装置４５は、低圧水銀ランプ４５ａと紫外線ビーム管４５ｂよりなり、コード４５ｃを介して電源につながっている。空気汚染防止装置４５０は、二酸化チタンを主成分とする複数の光触媒片４５０ａ、紫外線ランプ４５０ｂ及びシロッコファン４５０ｃからなっている。
４６は、頭部載置板４３の前部底面に装着されたマイナスイオン発生装置で、厚さ約３ｍｍ〜５ｍｍの略名刺大の大きさで、内蔵された放電電極により１００万〜２００万ｉｏｎｓ／cm3以上のマイナスイオンを連続的又は所定時間毎断続的に発生させるように設定されている。４７は、面状ヒータで、上部金属板４８と下部金属板４９にサンドイッチ状に挟着、固定されている。５０は、断熱材からなる床材で、５１は、各岩盤浴装置Ｆを仕切るためのパーティションで、５２は支柱である。５３は、赤外線センサーで、床通路５４を利用者が通過することを検知すれば、紫外線照射装置４５の低圧水銀ランプ４５ａに連動し、紫外線ビーム管４５ａが作動しビーム４５ｅの照射が停止する。各岩盤浴装置Ｆの低圧水銀ランプ４５ａの設置場所は、図１１に示す頭部載置板４３の下部の他、足下の後方枠３３近傍と図６に示す天井面設置が好適となる。
【図面の簡単な説明】
【００１９】
【図１】は、本考案に係る、岩盤浴施設におけるベッド型の岩盤浴装置の斜視図である。
【図２】は、図１におけるＡ−Ａ線断面図である。
【図３】は、ベッド型の岩盤浴装置の平面図である。
【図４】は、同平面図である。
【図５】は、紫外線照射装置と空気汚染防止装置の拡大断面図である。
【図６】紫外線ビーム管を天井面に装着状態の側断面図である。
【図７】（ａ）は、紫外線ビーム管の一部拡大斜視図である。（ｂ）は、紫外線ビーム管の他の例を示す一部拡大斜視図である。
【図８】（ａ）は、岩盤体の平面図である。          （ｂ）は、同正面図である。
【図９】は、岩盤体の他の実施例を示す平面図である。
【図１０】は、床面型の岩盤浴装置の斜視図である。
【図１１】は、図１０におけるＣ−Ｃ線断面図である。
【符号の説明】
【００２０】
Ｂ                    ベッド型の岩盤浴装置
Ｆ                    床面型の岩盤浴装置
１，２                側面枠
３                    後方枠
４〜１１              岩盤体
１２                  人体横臥面
１３                  頭部載置板
１５                  紫外線照射装置
１５ａ                低圧水銀ランプ
１５ｂ                紫外線ビーム管
１５ｄ                照射口
１５０                空気汚染防止装置
１５０ａ              光触媒片
１５０ｂ              紫外線ランプ
１５０ｃ              シロッコファン
１６                  マイナスイオン発生装置
２１                  パーティション
２３                  赤外線センサー
【図１】
0003132089.tif 000003
【図２】
0003132089.tif 000004
【図３】
0003132089.tif 000005
【図４】
0003132089.tif 000006
【図５】
0003132089.tif 000007
【図６】
0003132089.tif 000008
【図７】
0003132089.tif 000009
【図８】
0003132089.tif 000010
【図９】
0003132089.tif 000011
【図１０】
0003132089.tif 000012
【図１１】
0003132089.tif 000013